(57)【要約】【課題】３Ｄ放送を視聴中であってもテロップを読むことが可能な立体画像表示処理装置を提供する。【解決手段】入力された被処理画像信号に対して、被処理画像信号の３Ｄフォーマットに基づき３Ｄデコード処理を行い、または３Ｄデコード処理を行わずに、被処理画像信号に基づいた表示画像信号を出力するデコード部１４と、入力された被処理画像信号におけるテロップ情報の状態を判定する判定部１２と、判定部１２による判定結果に基づき、デコード部１４に対して被処理画像信号に対する３Ｄデコード処理の実施または非実施を制御する制御部１６とを備える。【選択図】図１
2013236357.tif 000002
【特許請求の範囲】
【請求項１】
入力された被処理画像信号に対して、前記被処理画像信号の３Ｄフォーマットに基づき３Ｄデコード処理を行い、または３Ｄデコード処理を行わずに、前記被処理画像信号に基づいた表示画像信号を出力するデコード部と、
入力された前記被処理画像信号におけるテロップ情報の状態を判定する判定部と、
前記判定部による判定結果に基づき、前記デコード部に対して前記被処理画像信号に対する３Ｄデコード処理の実施または非実施を制御する制御部と、
を備えることを特徴とする立体画像表示処理装置。
【請求項２】
前記判定部は、前記被処理画像信号におけるテロップ情報の有無を判定し、
前記制御部は、前記判定部において前記被処理画像信号にテロップ情報が含まれないと判定された場合は、前記デコード部に対して３Ｄデコード処理を実施させる制御を行い、前記判定部において前記被処理画像信号にテロップ情報が含まれると判定された場合は、前記デコード部に対して３Ｄデコード処理を実施させない制御を行う、
ことを特徴とする請求項１に記載の立体画像表示処理装置。
【請求項３】
前記判定部は、前記被処理画像信号におけるテロップ情報が右画像と左画像とで同一であるか否かを判定し、
前記制御部は、前記判定部において前記被処理画像信号におけるテロップ情報が右画像と左画像とで同一であると判定された場合は、前記デコード部に対して３Ｄデコード処理を実施させる制御を行い、前記判定部において前記被処理画像信号におけるテロップ情報が右画像と左画像とで異なると判定された場合は、前記デコード部に対して３Ｄデコード処理を実施させない制御を行う、
ことを特徴とする請求項１に記載の立体画像表示処理装置。
【請求項４】
前記判定部において入力された前記被処理画像信号におけるテロップ情報の状態を判定する画像領域を設定する設定部を更に備え、
前記判定部は、前記設定部において設定された画像領域におけるテロップ状態を判定する、
ことを特徴とする請求項１から３のいずれか１項に記載の立体画像表示処理装置。
【請求項５】
前記設定部は、前記被処理画像信号におけるテロップ情報の状態を判定する画像領域として、前記被処理画像信号が構成する画像の上部に前記画像領域を設定する、
ことを特徴とする請求項４に記載の立体画像表示処理装置。
【請求項６】
入力された被処理画像信号におけるテロップ情報の状態を判定し、
前記テロップ情報の状態の判定結果に基づき、前記被処理画像信号に対する３Ｄデコード処理の実施または非実施を制御する
ことを含むことを特徴とする立体画像表示処理方法。
【請求項７】
入力された被処理画像信号におけるテロップ情報の状態を判定させる命令と、
前記テロップ情報の状態の判定結果に基づき、前記被処理画像信号に対する３Ｄデコード処理の実施または非実施を制御させる命令と
を立体画像表示処理装置に実行させるための立体画像表示処理プログラム。
【発明の詳細な説明】
【技術分野】
【０００１】
本発明は、立体画像表示処理装置、立体画像表示処理方法及び立体画像表示処理プログラムに関する。
【背景技術】
【０００２】
近年、３次元（３Ｄ）コンテンツを表示することができる３Ｄテレビ（ＴＶ）が市場を賑わしている。３ＤＴＶには、メガネを通して視聴するグラス方式と裸眼で視聴できる裸眼方式とがある。グラス方式には、フレームシーケンシャル及びラインオルタネイトの二つの方式がある。フレームシーケンシャル方式は、ＴＶ側で左及び右（Ｌ、Ｒ）の画像をフレーム単位で交互に出力し、液晶シャッターメガネを用いて視聴する。ラインオルタネイト方式は、ＴＶ側でＬ、Ｒ画像を同一フレーム内でライン交互に出力し、偏光メガネを用いて視聴する。一方、裸眼方式には、パララックスバリア方式やレンチキュラ方式などの方式がある。
【０００３】
３Ｄコンテンツとしては、放送波、映画やゲームなどのパッケージソフトなどがある。３Ｄコンテンツのフォーマットとしては、現在、高精細度マルチメディアインターフェース（ＨＤＭＩ）１．４ａ規格により規定されている。フレームパッキング方式では「1080p＠23.98／24Hz」、「720p＠50または59.94／60Hz」、サイドバイサイド方式では「1080i＠50または59.94／60Hz」、トップアンドボトム方式では「720p＠50または59.94／60Hz」「1080p＠23.98／24Hz」と決められている。「1080p」 のフレームパッキング方式はパッケージソフト（映画）に、「720p」 のフレームパッキング方式はパッケージソフト（ゲーム）に、サイドバイサイド方式は放送波用として主に用いられている。
【０００４】
３ＤＴＶで３Ｄコンテンツを３Ｄ視聴する場合は、３ＤＴＶにより３Ｄフォーマットに応じて画像がデコードされる。デコード出力された画像を、グラス方式ではメガネを通して見ることで、あるいは裸眼方式では裸眼で見ることで立体視することが可能となる。
【０００５】
ＴＶ局が放送している３Ｄ放送波を３Ｄ視聴している際に、放送波に緊急速報などのテロップが重畳されたシーンが放送される場合がある。放送局がサイドバイサイドのＬ、Ｒ画像それぞれに対して同じ位置に同じ文字を重畳せずに、既存のテロッパーを用いて２Ｄ放送と同様にＬ、Ｒ画像に跨ってテロップを重畳していると、３Ｄ視聴状態ではテロップを読むことができないという問題がある。
【０００６】
送信側から３Ｄコンテンツの送信中に緊急情報をテロップで表示する際に、受信機側で放送信号に含ませた表示情報に応じて、３Ｄ表示と２Ｄ表示を切り替える方法が提案されている（特許文献１参照）。
【先行技術文献】
【特許文献】
【０００７】
【特許文献１】特開２０１０−２８８２３４号公報
【発明の概要】
【発明が解決しようとする課題】
【０００８】
特許文献１の方法を実用化するには、放送信号に含ませる表示情報の仕様を決めて、送信側及び受信側双方で対応しなければならない。このような場合、送信側の放送局と、受信側の各社のＴＶなどの受信機との間で揃って仕様の詳細を決定して対応することは現実的には困難である。
【０００９】
本発明の目的は、３Ｄ放送を視聴中であってもテロップを読むことが可能な立体画像表示処理装置、立体画像表示処理方法及び立体画像表示処理プログラムを提供することにある。
【課題を解決するための手段】
【００１０】
本発明の一態様によれば、入力された被処理画像信号に対して、被処理画像信号の３Ｄフォーマットに基づき３Ｄデコード処理を行い、または３Ｄデコード処理を行わずに、被処理画像信号に基づいた表示画像信号を出力するデコード部と、入力された被処理画像信号におけるテロップ情報の状態を判定する判定部と、判定部による判定結果に基づき、デコード部に対して被処理画像信号に対する３Ｄデコード処理の実施または非実施を制御する制御部とを備える立体画像表示処理装置が提供される。
【００１１】
本発明の他の態様によれば、入力された被処理画像信号におけるテロップ情報の状態を判定し、テロップ情報の状態の判定結果に基づき、被処理画像信号に対する３Ｄデコード処理の実施または非実施を制御することを含む立体画像表示処理方法が提供される。
【００１２】
本発明の他の態様によれば、入力された被処理画像信号におけるテロップ情報の状態を判定させる命令と、テロップ情報の状態の判定結果に基づき、被処理画像信号に対する３Ｄデコード処理の実施または非実施を制御させる命令とを立体画像表示処理装置に実行させるための立体画像表示処理プログラムが提供される。
【発明の効果】
【００１３】
本発明によれば、３Ｄ放送を視聴中であってもテロップを読むことが可能な立体画像表示処理装置、立体画像表示処理方法及び立体画像表示処理プログラムを提供することが可能となる。
【図面の簡単な説明】
【００１４】
【図１】本発明の実施の形態に係る立体画像表示処理装置の一例を示す概略図である。
【図２】本発明の実施の形態に係る立体画像表示処理装置の判定部で実施される処理の一例を示すフローチャートである。
【図３】本発明の実施の形態に係る立体画像表示処理装置のデコード部及び制御部の一例を示す概略図である。
【図４】本発明の実施の形態に係る立体画像表示処理装置の入力画像の一例を示す概略図である。
【図５】従来の立体画像表示処理装置で処理された表示画像を示す概略図である。
【図６】本発明の実施の形態に係る立体画像表示処理装置により処理された表示画像の一例を示す概略図である。
【図７】本発明の実施の形態に係る立体画像表示処理装置の他の例を示す概略図である。
【図８】本発明の実施の形態に係る立体画像表示処理装置の被処理画像の判定領域の一例を示す概略図である。
【図９】本発明の実施の形態の変形例に係る立体画像表示処理装置の入力画像の一例を示す概略図である。
【図１０】本発明の実施の形態の変形例に係る立体画像表示処理装置の判定部で実施される処理の一例を示すフローチャートである。
【発明を実施するための形態】
【００１５】
以下図面を参照して、本発明の形態について説明する。以下の図面の記載において、同一または類似の部分には同一または類似の符号が付してある。但し、図面は模式的なものであり、装置やシステムの構成等は現実のものとは異なることに留意すべきである。したがって、具体的な構成は以下の説明を参酌して判断すべきものである。また図面相互間においても互いの構成等が異なる部分が含まれていることは勿論である。
【００１６】
又、以下に示す本発明の実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１７】
本発明の実施の形態に係る立体画像表示処理装置１００は、図１に示すように、画像処理部１及び記憶部５を基本構成とし、立体画像表示処理装置１００に一体または別体の構成として表示部３を備える。画像処理部１は、入力部１０、判定部１２、デコード部１４、及び制御部１６を備える。
【００１８】
画像処理部１は、立体画像表示処理装置１００を制御し、入力部１０に入力された各種信号を処理するための、各種プロセッサ等により構成される。
【００１９】
画像処理部１の入力部１０は、入力画像信号Ｆi及び入力画像信号Ｆiの形式を規定する識別信号Ｆmが入力され、識別信号Ｆmに基づき被処理画像信号Ｆpを出力する。例えば、ブルーレイディスク（ＢＤ）レコーダなどの外部機器から出力された画像信号、もしくはＴＶチューナで受信した放送波の画像信号が入力画像信号Ｆiとして入力される。同時に、ＢＤレコーダなどの外部機器をＨＤＭＩケーブルで接続して画像信号を入力している場合は、外部機器からＨＤＭＩ１．４ａ規格に基づき入力画像信号Ｆiの３Ｄフォーマットを識別するための識別信号Ｆmが入力される。また、外部機器をＨＤＭＩケーブル以外のケーブルで接続した場合、及びＴＶチューナの受信放送波を画像信号として入力している場合は、視聴者がリモコン制御で任意に設定した３Ｄデコード方式に対応した設定値がフォーマットの識別信号Ｆmとして入力される。
【００２０】
入力部１０は、入力された識別信号Ｆmが２Ｄまたは３Ｄに限らずインターレース信号であることを表している場合、入力画像信号Ｆiに対してインタレースプログレッシブ（ＩＰ）変換処理を行う。ＩＰ変換処理後のプログレッシブ画像を被処理画像信号Ｆpとして出力する。一方、上記以外のフォーマットが入力された場合は、入力画像信号Ｆiをそのまま被処理画像信号Ｆpとして出力する。
【００２１】
判定部１２は、被処理画像信号Ｆpにおけるテロップ情報の状態を判定する。「テロップ情報の状態」は、被処理画像信号Ｆpにテロップ情報が含まれるか否かである。例えば、被処理画像信号Ｆp内にあらかじめ登録しておいた文字列が存在するか否かで、テロップ情報の状態の判定を行う。判定の結果、文字列が存在する場合は１の値を、存在しない場合は０の値をとるテロップ情報の判定信号Ｔpを出力する。判定部１２としては、例えば、特開２００９−２１７３０３公報に記載されているような方法を用いることができる。
【００２２】
判定部１２は、専用のハードウェアで構成しても良く、通常のコンピュータシステムのＣＰＵを用いて、ソフトウェアで実質的に等価な機能を有していても構わない。判定部１２には補助記憶装置（図示省略）が含まれる。補助記憶装置は、テロップ情報の判定プログラムが格納される。また、補助記憶装置は、テロップ情報の判定において、処理途中や処理結果のデータを一時的に保存する。
【００２３】
実施の形態に係る判定部１２でのテロップ情報の判定処理を、図２に示すフローチャートを用いて説明する。ステップＳ１００で、被処理画像信号Ｆp内でテロップ文字が存在する矩形領域画像を抽出する。ステップＳ１０１で、矩形領域画像内で文字列と判定される画素領域の矩形画像を抽出する。ステップＳ１０２で、画素領域の矩形画像に対して、文字が存在する画素を１、存在しない画素を０とすることで矩形領域画像を２値変換した文字画像を生成する。ステップＳ１０３で、既存の光学式文字読取（ＯＣＲ）エンジン等を用いて、生成した文字画像を文字認識する。文字画像内に、あらかじめ登録しておいた「速報」、「地震」、「津波」、「ニュース」、「震度」などの文字が存在するか否かを判定し、存在する場合は１、存在しない場合は０の値をテロップ情報の判定信号Ｔpとして出力する。
【００２４】
デコード部１４は、判定部１２で被処理画像信号Ｆpにテロップ情報が含まれないと判定され、且つ被処理画像信号Ｆpに３Ｄ画像信号が含まれる場合、識別信号Ｆmの形式に応じて３Ｄデコード処理を行って表示画像信号Ｆdを生成する。デコード部１４は、図３に示すように、フレームメモリ２０及びアップスケール部２２を有する。
【００２５】
制御部１６は、被処理画像信号Ｆpに３Ｄ画像信号が含まれる場合、判定部１２において判定されたテロップ情報の状態に基づき、デコード部１４の制御を行う。判定部１２で被処理画像信号Ｆpにテロップ情報が含まれると判定された場合、被処理画像信号Ｆpに３Ｄデコード処理を行わず、被処理画像信号Ｆp及びテロップ情報を表示画像信号Ｆdとしてそのまま出力するようにデコード部１４を制御する。判定部１２で被処理画像信号Ｆpにテロップ情報が含まれないと判定された場合、３Ｄデコード処理を行わせて、３Ｄデコード処理により生成した表示画像信号Ｆdを出力するようにデコード部１４を制御する。制御部１６は、図３に示すように、ノットゲート２４及びアンドゲート２６を有する。
【００２６】
図３に示すように、制御部１６のアンドゲート２６には、ユーザが３Ｄ視聴モードを選択しているかどうかを表すモード選択信号Ｓdと、ノットゲート２４を通してテロップ情報の判定信号Ｔpとが入力される。モード選択信号Ｓdは、３Ｄ視聴選択時には値が１となり、非選択時には０となる信号である。モード選択信号Ｓdが１、且つ判定信号Ｔpが０の時のみ、制御部１６から制御信号Ｃdが１として出力される。つまり、モード選択信号Ｓdが１であっても、判定信号Ｔpが１だった場合は、制御信号Ｃdは０に制限されることになる。
【００２７】
デコード部１４のフレームメモリ２０は、入力部１０から入力された被処理画像信号Ｆpを保存する。制御部１６からの制御信号Ｃdと、入力部１０からの識別信号Ｆmに基づき、被処理画像信号Ｆp内の３Ｄペア画像を分離し、Ｌ画像信号ＦlとＲ画像信号Ｆrとして読みだす。アップスケール部２２は、Ｌ及びＲ画像信号Ｆl、Ｆrを制御信号Ｃdと識別信号Ｆmに基づき拡大処理を行い、それぞれＬ拡大画像信号ＦL、及びＲ拡大画像信号ＦRを表示画像信号Ｆdとして表示部３に出力する。
【００２８】
デコード部１４のフレームメモリ２０及びアップスケール部２２の具体的な動作について説明する。識別信号Ｆmが２Ｄ信号を表す場合は、制御信号Ｃdの値に関わらず、Ｌ画像信号ＦlとＲ画像信号Ｆr共に被処理画像信号Ｆpがそのまま読み出される。Ｌ及びＲ画像信号Ｆl、Ｆrはアップスケール部２２では拡大されずに、Ｌ拡大画像信号ＦL、及びＲ拡大画像信号ＦRとして出力される。即ち、被処理画像信号ＦpがそのままＬ及びＲ拡大画像信号ＦL、ＦRとして出力される。
【００２９】
次に、図４に示すように、識別信号Ｆmがサイドバイサイド方式を表す場合について説明する。サイドバイサイド方式では、放送局がテロップ情報を重畳する際にＬ、Ｒ画像それぞれに対して同じ位置に同じ文字を重畳せずに、既存のテロッパーを用いて２Ｄ放送と同様に重畳すると、テロップ情報が被処理画像３０のＬ及びＲ画像３０a、３０bに跨って重畳される。この場合、Ｌ画像３０aのテロップと、Ｒ画像３０bのテロップのテロップ文字列は同じではない。したがって、従来では、図５に示すように、Ｌ拡大画像３０L及びＲ拡大画像３０Rのテロップは異なる文字列となる。３Ｄ視聴時には、テロップは重なって表示されるため、テロップ情報を読むことができなくなってしまう。
【００３０】
実施の形態では、制御信号Ｃdが１の時、即ちテロップ情報がないと判定された時は、従来と同様、フレームメモリ２０で被処理画像信号Ｆpの被処理画像３０の左半分がＬ画像３０a、右半分がＲ画像３０bとして読み出される。アップスケール部２２にて、Ｌ及びＲ画像３０a、３０bはそれぞれ水平に２倍に拡大され、Ｌ及びＲ拡大画像３０L、３０Rが出力される。
【００３１】
一方、制御信号Ｃdが０の時は、テロップ情報がある場合、又は３Ｄ視聴モードＯＦＦの場合であり、被処理画像３０がサイドバイサイドの状態のままＬ及びＲ拡大画像３０Ａ、３０Ｂとして出力される。図６に示すように、Ｌ拡大画像３０Ａのテロップは、Ｌ及びＲ画像３０a、３０bに跨って重畳されている。同様に、Ｒ拡大画像３０Ｂのテロップは、Ｌ及びＲ画像３０a、３０bに跨って重畳されている。それぞれのテロップの文字列は同じであるため、Ｌ及びＲ拡大画像３０Ａ、３０Ｂが重なってもテロップ情報を読むことが可能となる。
【００３２】
上述のように、実施の形態では、３Ｄフォーマットとして、サイドバイサイドを用いて説明している。実施の形態では、他のフォーマットの場合でも、制御信号Ｃdが０の場合は、３Ｄデコード処理を実施しない。以下に、他のフォーマットの場合のデコード部１４の処理について、説明する。
【００３３】
例えば、識別信号Ｆmが「1080p＠23.98／24Hz」のトップアンドボトム方式を表す場合、制御信号Ｃdが１の時は、被処理画像信号Ｆpの上半分がＬ画像信号Ｆlとして、下半分がＲ画像信号Ｆrとして読み出される。Ｌ及びＲ画像信号Ｆl、Ｆrは、アップスケール部２２にて垂直方向に２倍に拡大され、Ｌ拡大画像信号ＦL、及びＲ拡大画像信号ＦRとして出力される。一方、制御信号Ｃdが０の時は、被処理画像信号Ｆpがトップアンドボトムの状態のままＬ及びＲ画像信号Ｆl、Ｆrから出力される。Ｌ及びＲ画像信号Ｆl、Ｆrはアップスケール部２２では拡大されずに、それぞれＬ及びＲ拡大画像信号ＦL、ＦRとして出力される。つまりは、被処理画像信号ＦpがそのままＬ及びＲ拡大画像信号ＦL、ＦRとして出力される。
【００３４】
また、識別信号Ｆmが「720p＠50または59.94／60Hz」のトップアンドボトム方式を表す場合、制御信号Ｃdが１の時は、被処理画像信号Ｆpの上半分がＬ画像信号Ｆlとして、下半分がＲ画像信号Ｆrとして読み出される。Ｌ及びＲ画像信号Ｆl、Ｆrは、アップスケール部２２にて1080p相当の画像サイズに拡大するため水平方向に１．５倍、垂直方向に３倍に拡大され、Ｌ拡大画像信号ＦL、及びＲ拡大画像信号ＦRとして出力される。一方、制御信号Ｃdが０の時は、被処理画像信号Ｆpがトップアンドボトムの状態のままＬ及びＲ画像信号Ｆl、Ｆrから出力される。Ｌ及びＲ画像信号Ｆl、Ｆrはアップスケール部２２で水平方向に１．５倍、垂直方向に１．５倍に拡大され、それぞれＬ及びＲ拡大画像信号ＦL、ＦRとして出力される。つまりは、被処理画像信号Ｆpがトップアンドボトムの状態のまま1080p相当の画像サイズに拡大され、Ｌ及びＲ拡大画像信号ＦL、ＦRとして出力される。
【００３５】
また、識別信号Ｆmが「1080p＠23.98／24Hz」のフレームパッキング方式を表す場合は、制御信号Ｃdの値に関わらず、被処理画像信号Ｆpとして入力されたＬＲパッキング画像の内のＬ画像がＬ画像信号Ｆlとして、Ｒ画像がＲ画像信号Ｆrとして読み出される。Ｌ及びＲ画像信号Ｆl、Ｆrは、アップスケール部２２では拡大されずに、Ｌ及びＲ拡大画像信号ＦL、ＦRとして出力される。
【００３６】
識別信号Ｆmが「720p＠50または59.94／60Hz」のフレームパッキング方式を表す場合は、制御信号Ｃdの値に関わらず、被処理画像信号Ｆpとして入力されたＬＲパッキング画像の内のＬ画像がＬ画像信号Ｆlとして、Ｒ画像がＲ画像信号Ｆrとして読み出される。Ｌ及びＲ画像信号Ｆl、Ｆrは、アップスケール部２２では1080p相当の画像サイズに拡大するため水平垂直供に１．５倍に拡大され、それぞれＬ及びＲ拡大画像信号ＦL、ＦRとして出力される。
【００３７】
表示部３は、例えば、フレームシーケンシャル（Frame Sequencial）方式を用いたFull-HD解像度のディスプレイであり、入力されたＬ及びＲ拡大画像信号ＦL、ＦRを内部のフレームメモリに保存し、フレーム単位でＬＲ交互にディスプレイ表示する。また、識別信号Ｆmが「1080p＠23.98／24Hz」のフレームパッキング方式の場合、および「1080p＠23.98／24Hz」のトップアンドボトム方式の場合は、他のフォーマットとフレーム周波数が異なるので、プルダウン変換処理を行いながらリードを行いフレームシーケンシャルでディスプレイ表示する。なお、本実施形態では、表示部３として、フレームシーケンシャル方式のディスプレイを用いたがこれに限るものではない。ラインオルタネイト（Line Alternate）方式や裸眼方式を用いてもよく、ディスプレイの表示方式に応じて、入力されたＬ及びＲ拡大画像信号ＦL、ＦRをＬＲ画像表示すればよい。
【００３８】
記憶部５は、ＲＯＭ（Read Only Memory）やＲＡＭ（Random Access Memory）等により構成され、画像処理部１で実行される立体画像表示処理プログラムを保存している。
【００３９】
上述のように、実施の形態に係る立体画像表示処理装置では、判定部１２にて入力されてきた被処理画像信号中に「ニュース」や、「緊急速報」などの予め登録しておいた文字が存在すると判定された場合は、３Ｄデコードを行わずに被処理画像信号をそのまま出力する。従来技術では、ＴＶ放送局が放送している３Ｄ放送波を３Ｄ視聴している際に、図４のような放送波に緊急速報などのテロップがＬＲ画像に跨って重畳されたシーンが放送された場合、３Ｄ視聴モードのまま視聴していると、図５のような画像が表示されテロップの文字を読むことができない。一方、実施の形態に係る立体画像表示処理装置では、３Ｄ視聴モードのままでも、図６のような画像が表示されるようになり、視聴者は３Ｄモードを解除することなく、テロップの文字を読むことが可能となる。
【００４０】
なお、上述の立体画像表示処理装置の構成では、３Ｄ画面下部に存在する映画の字幕等をテロップと検出する可能性がある。実際にはテロップが重畳されていない放送波を視聴しているにもかかわらず、３Ｄデコードが停止されてしまうという問題が生じる。緊急速報等のテロップは、一般的に画面の上半分の領域内に重畳されていることが多い。
【００４１】
例えば、図７に示すように、画像処理部１に判定部１２のテロップ判定処理を行う判定領域を設定する設定部１１を設ける。図８に示すように、設定部１１は、入力部１０から出力された被処理画像信号において、テロップ判定処理実行領域として判定領域３４を設定し、領域情報Ｔａとして出力する。判定部１２は、設定部１１から出力される領域情報Ｔａに基づき、被処理画像３０に設定された判定領域３４でテロップ情報の判定を行う。テロップ情報が、図８に示すように、被処理画像３０の上半分に設定された判定領域３４で判定されているが、判定領域３４は任意に設定可能にすることが望ましい。
【００４２】
このように、テロップ情報の判定を行う領域を任意に設定することができるので、映画の字幕などの文字列を誤って検出することを防止することができる。
【００４３】
（変形例）
パッケージソフトの再生や３Ｄ放送波の録画再生などの目的で、ＢＤレコーダなどの録画再生機器が外部機器として用いられる。例えば、ＢＤレコーダを介して３ＤＴＶで３Ｄ視聴する場合、ＢＤの３Ｄソフトの再生時にはレコーダ、ＴＶともにＨＤＭＩ１．４ａ規格に基づき３Ｄフォーマットに適した動作モードに自動で切り替わる。一方、レコーダに録画された３ＤＴＶ放送（３ＤＴＶ放送にはサイドバイサイド方式が採用されている）を３Ｄ視聴する時は、３Ｄフォーマットを識別して自動で動作を切り替えることができない。このような場合、レコーダ側は２Ｄ動作モードで画像を再生し、ＴＶ側は手動でサイドバイサイドデコードモードに切り替えて動作させることになる。
【００４４】
３Ｄ視聴中にレコーダを操作して、再生・一時停止を行ったり、メニュー画面を表示させたりすると、レコーダのＯＳＤ文字画像が表示される。例えば、図９に示すように、Ｌ画像３０aにＯＳＤ文字「再生」が重畳される。この時、レコーダが２Ｄモードとして動作しているため、サイドバイサイド画像のＬ画像３０a、Ｒ画像３０bに同一のＯＳＤ文字が表示されるのではなく、サイドバイサイド画像の被処理画像３０の１フレームを２Ｄの１フレームと見立ててＯＳＤ文字が重畳される。そのため、ＯＳＤ文字は正常に立体視することができない。即ち、Ｌ及びＲ画像３０a、３０bに異なるＯＳＤ文字が存在している場合は、ＯＳＤ文字が読めない。また、Ｌ及びＲ画像３０a、３０bのどちらか一方にのみＯＳＤ文字が存在する場合は、フリッカーを感じてしまう。そのため、眼精疲労の蓄積を促すという問題にも繋がる。
【００４５】
実施の形態の変形例では、判定部１２は、テロップ情報が含まれるか否かの状態だけでなく、Ｌ及びＲ画像３０a、３０bのテロップ情報が同一か否かの状態も判定する。即ち、入力された入力画像信号Ｆiに対して、識別信号Ｆmに応じてＬ画像３０a及びＲ画像３０bを区別し、それぞれに対して個別に文字列検出を行う。Ｌ及びＲ画像３０a、３０bのどちらか一方にしか存在しない文字列が含まれるか否かの判定を行う。どちらか一方にのみ含まれる文字列が存在する場合は１の値を、存在しない場合は０の値をとるテロップ情報の判定信号Ｔpを出力する。この判定は、Ｌ及びＲ画像３０a、３０bのペア単位で行う。
【００４６】
実施の形態の変形例では、テロップ情報が含まれるか否かの状態だけでなく、Ｌ及びＲ画像３０a、３０bのテロップ情報が同一か否かの状態も判定する点が実施の形態と異なる。他の構成は、実施の形態と同様であるので、重複する記載は省略する。
【００４７】
実施の形態の変形例に係る判定部１２でのテロップ情報の判定処理を、図１０に示すフローチャートを用いて説明する。
【００４８】
ステップＳ２００で、Ｌ画像３０aに対して、テロップ情報の検出が行われる。例えば、被処理画像信号Ｆp内のペア画像から分離したＬ画像３０aに対して、図２に示したフローチャートに従って処理を行う。Ｌ画像３０aにおいて文字認識された結果に基づいて文字コードデータを生成し、判定部１２の補助記憶装置に保存する。
【００４９】
ステップＳ２０１で、Ｒ画像３０bに対してテロップ情報の検出が行われる。Ｒ画像３０bにおいて文字認識された結果に基づいて文字コードデータを生成し、判定部１２の補助記憶装置に保存する。
【００５０】
ステップＳ２０２で、Ｌ及びＲ画像３０a、３０bの文字コードデータを比較し、どちらか一方にしか存在しない文字列が存在するか否かの判定を行う。文字コードデータの比較の結果に基づいて、テロップ情報の判定信号Ｔpが生成される。
【００５１】
具体的には、まず、Ｌ画像３０aにしか存在しない文字列が存在するか否かの判定を行い、１ビットの判定結果信号Ｊ1を生成する。Ｌ画像３０a内で検出された文字コードデータのそれぞれに対して、Ｒ画像３０b内で検出されたかどうかを比較する。比較の結果、一つでもＲ画像３０b内で検出されなかった文字コードデータが存在した場合は判定結果信号Ｊ1を１とし、存在しなかった場合は判定結果信号Ｊ1を０として出力する。また、Ｌ画像３０a内でテロップ情報が一つも検出されなかった場合は判定結果信号Ｊ1を０として出力する。
【００５２】
同様に、Ｒ画像３０bにしか存在しない文字列が存在するか否かの判定を行い、１ビットの判定結果信号Ｊ2を生成する。Ｒ画像３０b内で検出された文字コードデータのそれぞれに対して、Ｌ画像３０a内で検出されたかどうかを比較する。比較の結果、一つでもＬ画像３０a内で検出されなかった文字コードデータが存在した場合は判定結果信号Ｊ2を１とし、存在しなかった場合は判定結果信号Ｊ2を０として出力する。また、Ｒ画像３０b内でテロップ情報が一つも検出されなかった場合は判定結果信号Ｊ2を０として出力する。
【００５３】
判定結果信号Ｊ1、Ｊ2を用いて、テロップ情報の判定信号Ｔpが生成される。例えば、判定結果信号Ｊ1、Ｊ2が共に０のときのみ０の値をとり、それ以外のときは１の値をとる論理演算を行う。即ち、Ｌ画像３０aにしか存在しないテロップ情報が存在する場合、またはＲ画像３０bにしか存在しないテロップ情報が存在する場合は、判定信号Ｔpは１の値となる。判定信号Ｔpは1ビットの信号で、最終判定信号として判定部１２から出力される。
【００５４】
実施の形態の変形例では、３Ｄ視聴動作モード中に、Ｌ及びＲ画像３０a、３０bに異なるＯＳＤ文字が重畳された場合、あるいはＬ及びＲ画像３０a、３０bのどちらか一方にのみＯＳＤ文字が重畳させた場合でも、３Ｄ表示が自動でＯＦＦに切り替わる。その結果、ＯＳＤ文字が視聴できるようになる。また、左目と右目で異なるＯＳＤ文字を見ることや、片方の目のみでＯＳＤ文字を見ることがなくなるので、眼精疲労を促すこともなくなる。
【００５５】
（その他の実施の形態）
上記のように、本発明の実施の形態を記載したが、この開示の一部をなす論述及び図面はこの発明を限定するものであると理解すべきではない。この開示から当業者にはさまざまな代替実施の形態、実施例及び運用技術が明らかとなろう。したがって、本発明の技術的範囲は上記の説明から妥当な特許請求の範囲に係わる発明特定事項によってのみ定められるものである。
【符号の説明】
【００５６】
１…画像処理部
３…表示部
５…記憶部
１０…入力部
１１…設定部
１２…判定部
１４…デコード部
１６…制御部
１００…立体画像表示処理装置
【図１】
2013236357.tif 000003
【図２】
2013236357.tif 000004
【図３】
2013236357.tif 000005
【図４】
2013236357.tif 000006
【図５】
2013236357.tif 000007
【図６】
2013236357.tif 000008
【図７】
2013236357.tif 000009
【図８】
2013236357.tif 000010
【図９】
2013236357.tif 000011
【図１０】
2013236357.tif 000012